(57)【要約】【課題】荷物を収容し搬送するためのパレットであって、荷物を収容する上部プラットフォームと、この上部プラットフォームを支持する、上側部材および下側部材およびこれらの部材の間を中間接合する複数の支持部材から構成されている下部構造体とが設けられている形式のパレットを改良して、改良された衝撃緩衝部を備えている形式のものを提供する。【解決手段】支持部材（５０）が、それぞれ上側部材（３０）と下側部材（４０）との間を延在している、相互に側方に変位可能な細い棒状の個別エレメントを束ねた束（５１）から構成されており、緩衝特性を有しているようにした。【選択図】図１
2008260576.tif 000002
【特許請求の範囲】
【請求項１】
荷物を収容し搬送するためのパレットであって、荷物を収容する上側プラットフォームと、該上側プラットフォームを支持する、上側部材（３０）および下側部材（４０）および両部材（３０，４０）の間を中間接合する複数の支持部材（５０）から構成されている下部構造体とが設けられている形式のものにおいて、
支持部材（５０）が、それぞれ上側部材（３０）と下側部材（４０）との間を延在している、相互に側方に変位可能な細い棒状の個別エレメントを束ねた束（５１）から構成されており、緩衝特性を有していることを特徴とするパレット。
【請求項２】
上側部材（３０）の下面と下側部材（４０）の上面とが、使用状態で互いに垂直に離間される個所に中空部（３５）を有しており、該中空部（３５）内に束（５１）の端部区分が装入されている、請求項１記載のパレット。
【請求項３】
中空部（３５）が球冠状の湾曲部を有している、請求項２記載のパレット。
【請求項４】
上側部材（３０）と下側部材（４０）とが、結節点で互いに結合されており、該結節点に支持部材（５０）が配置されている、請求項１から３までのいずれか一項記載のパレット。
【請求項５】
細い棒状の個別エレメントの束（５１）が、結束リング（５２）によって束ねられている、請求項４記載のパレット。
【請求項６】
上側部材（３０）と下側部材（４０）とが、結束リング（５２）によって結合されており、該結束リング（５２）が、上側部材（３０）と下側部材（４０）との鉛直運動を相対的に互いに許容する、請求項５記載のパレット。
【請求項７】
下側部材（４０）の下面が、基礎に支持される、および／または上側部材（５０）の上面が、収容プレート（２）に対して切り株の形式に基づき拡張している支持区分（３４，３４′）によって支持される、請求項１から６までのいずれか一項記載のパレット。
【請求項８】
支持区分（３４，３４′）が、束（５１）の下側もしくは上側に垂直に位置決めされている、請求項７記載のパレット。
【請求項９】
上側部材（３０）が、縦ステー（３２）と横ステー（３１）とを有しており、該縦ステー（３２）と横ステー（３１）との結合節点に支持部材（５０）が取り付けられており、下側部材（４０）が、上部縦ステー（３２）の下を延びている下部縦ステー（４１）を有しており、該下部縦ステー（４１）に支持部材（５０）が結合されている、請求項１から９までのいずれか一項記載のパレット。
【請求項１０】
上部縦ステー（３２）および下部縦ステー（４１）と、横ステーと、場合によっては上側部材（３０）にさらに設けられている対角ステー（３８）とが、骨格の形式で軽量に形成されている、請求項９記載のパレット。
【請求項１１】
上側部材（３０）が、上側プラットフォームを工具無しで取り付けるための保持エレメント（３３）を備えている、請求項１から１０までのいずれか一項記載のパレット。
【発明の詳細な説明】
【技術分野】
【０００１】
本発明は、荷物を収容し搬送するためのパレットであって、荷物を収容する上部プラットフォームと、この上部プラットフォームを支持する、上側部材および下側部材およびこれらの部材の間を中間接合する複数の支持部材から構成されている下部構造体とが設けられている形式のものに関する。
【背景技術】
【０００２】
この種のパレットはドイツ連邦共和国特許出願公開第３６１２６４７号明細書に記載されている。この公知のパレットの場合、支承または搬送しようとする物品は、支持する下部構造体に載置されている積載板に収容され、個々の構成要素または全ての構成要素が、粉砕された繊維材料チップとプラスチックとから結合剤として製造されていて、これによって寿命の長い廉価で耐候性のパレットが得られる。しかしこの種のパレットが、搬送しようとする物品に対して十分な衝撃緩衝を有していないことはよくある。
【０００３】
ドイツ連邦共和国実用新案第２９９０９００１号明細書には介在ブロックから成る下部構造体を有するパレットが記載されていて、介在ブロックに収容プラットフォームが収容されている。介在ブロックは、補強のために繊維マットまたは二軸で延ばされる熱可塑性樹脂を場合によっては付加的に備えている。介在ブロックも廉価でかつリサイクル可能である。この種のパレットの場合であっても、衝突時の緩衝が十分でないことはよくある。
【特許文献１】ドイツ連邦共和国実用新案第２９９０９００１号明細書
【特許文献２】ドイツ連邦共和国特許出願公開第３６１２６４７号明細書
【発明の開示】
【発明が解決しようとする課題】
【０００４】
従って、本発明の課題は、冒頭で述べた形式の、荷物を収容し搬送するためのパレットであって、荷物を収容する上部プラットフォームと、この上部プラットフォームを支持する、上側部材および下側部材およびこれらの部材の間を中間接合する複数の支持部材から構成されている下部構造体とが設けられている形式のパレットを改良して、改良された衝撃緩衝作用を備えている形式のものを提供することである。
【課題を解決するための手段】
【０００５】
この課題を解決するために本発明の構成では、支持部材が、それぞれ上側部材と下側部材との間を延在している、相互に側方で変位可能な細い棒状の個別エレメントを束ねた束から構成されており、緩衝特性を備えているようにした。
【発明の効果】
【０００６】
たとえばパレットを下に降ろした際に突発的な衝突が生じた場合、収容しようとする荷物のための十分な支持力を保証している支持部材は撓む。この場合、振動を避けることもできる。針状のもしくは細い棒状の個別エレメントが、束として良好に支持作用を有している一方で、過度に力がかかる場合には、拡開作用により個別エレメントの端部区分に向かって、または中央領域における膨らみにより十分に可撓的に作用し、これによってほぼハリネズミの針の原理により衝撃が吸収される。
【０００７】
信頼のある機能を有したままでの高い安定性は、上側部材の下面と下側部材の上面とが、使用状態で互いに垂直に離間された個所に、束の端部区分が装入される中空部を有していることにより促進される。
【０００８】
この場合、有利な構成は、中空部が球冠形状の湾曲部を有していることにある。球冠状の湾曲部、もしくは棒状体束の長手方向延在に対して外方に凸状に方向付けられている湾曲部によっても、常に有利な支持がもたらされる。
【０００９】
信頼ある機能を有したままの安定的な構成のために、上側部材と下側部材とが、結節点で互いに結合されているという手段も貢献する。これらの結節点に支持部材が配置されている。さらに上側部材と下側部材とが、弾性的またはフレキシブルまたは可動に取り付けられるエレメントで、互いに結合することもできるので、両部材は確実に結合される。
【００１０】
支持エレメントの機能形式にとって有利な構成は、細い棒状の個別エレメントの束が、結束リングによって束ねられていることにある。この場合、結束リングは個別エレメントの良好な拡開可能性を端部区分に向かってもたらし、または結束リングが弾性的な構成の場合には、中央の領域で良好な個別エレメントの拡開可能性をもたらし、弾性的な構成の場合には、緩衝特性もしくは衝撃吸収さえ促進することができる。
【００１１】
有利な構成は、上側部材と下側部材とが、結束リングによって結合されていることによりもたらされる。この場合、結束リングは、上側部材と下側部材との鉛直運動を相対的に互いに許容する。この場合、結束リング自体は弾性的に形成することができる、および／または上側部材と下側部材との相対的な運動を特に鉛直方向で許容する。
【００１２】
安定的でかつ衝撃を緩衝する構成のための別の有利な手段は、下側部材の下面は基礎において、および／または上側部材の上面が収容プレートに対して、切り株の形式で、つまり拡がっている支持区分によって支持されるということにある。この場合、支持区分はホッパー状または指形で基礎もしくは収容プレートに対して円錐状に拡張される。
【００１３】
有利な構成および良好な機能ために、支持区分が、束の下側もしくは上側で垂直に位置決めされているという手段も貢献する。上側部材が、縦ステーと横ステーとを有していて、これらの縦ステーと横ステーとの結合節点に支持部材が取り付けられていて、下側部材が、上部縦ステーの下を延びている下部縦ステーを有していて、この下部縦ステーに支持部材が結合しているという手段によって、有利には、たとえばフォークリフトによって搬送できる安定的な構成がもたらされる。
【００１４】
上部縦ステーおよび下部縦ステーと、横ステーと、場合によっては上側部材にさらに設けられている対角ステーとが、骨格の形式に基づき軽量に形成されている手段が安定性に貢献する。骨格原理により、高い安定性が、軽量で比較的僅かな材料需要でありながらもたらされる。
【００１５】
製造、改装および場合によっては簡単な修理が、上側部材が、上側プラットフォームを工具無しで取り付けるための保持エレメントを備えて形成されていることにより助成される。
【００１６】
本発明に係るパレットは、荷物を収容し搬送するためのパレットであって、荷物を収容する上側プラットフォームと、この上側プラットフォームを支持する、上側部材および下側部材およびこれらの部材の間を中間接合する複数の支持部材から構成されている下部構造体とが設けられている形式のものにおいて、支持部材が、それぞれ上側部材と下側部材との間を延在している、相互に側方に変位可能な細い棒状の個別エレメントを束ねた束から構成されており、緩衝特性を有していることを特徴とする。
【００１７】
本発明に係るパレットは、有利には、上側部材の下面と下側部材の上面とが、使用状態で互いに垂直に離間される個所に中空部を有しており、該中空部内に束の端部区分が装入されている。
【００１８】
本発明に係るパレットは、有利には、中空部が球冠状の湾曲部を有している。
【００１９】
本発明に係るパレットは、有利には、上側部材と下側部材とが、結節点で互いに結合されており、該結節点に支持部材が配置されている。
【００２０】
本発明に係るパレットは、有利には、細い棒状の個別エレメントの束が、結束リングによって束ねられている。
【００２１】
本発明に係るパレットは、有利には、上側部材と下側部材とが、結束リングによって結合されており、該結束リングが、上側部材と下側部材との鉛直運動を相対的に互いに許容する。
【００２２】
本発明に係るパレットは、有利には、下側部材の下面が、基礎に支持される、および／または上側部材の上面が、収容プレートに対して切り株の形式に基づき拡張している支持区分によって支持される。
【００２３】
本発明に係るパレットは、有利には、支持区分が、束の下側もしくは上側に垂直に位置決めされている。
【００２４】
本発明に係るパレットは、有利には、上側部材が、縦ステーと横ステーとを有しており、該縦ステーと横ステーとの結合節点に支持部材が取り付けられており、下側部材が、上部縦ステーの下を延びている下部縦ステーを有しており、該下部縦ステーに支持部材が結合されている。
【００２５】
本発明に係るパレットは、有利には、上部縦ステーおよび下部縦ステーと、横ステーと、場合によっては上側部材にさらに設けられている対角ステーとが、骨格の形式で軽量に形成されている。
【００２６】
本発明に係るパレットは、有利には、上側部材が、上側プラットフォームを工具無しで取り付けるための保持エレメントを備えている。
【発明を実施するための最良の形態】
【００２７】
以下に、本発明の実施例を図面につき詳しく説明する。図１には、下部構造体３と、その上に載置される個別物品のための収容プレート２とを備えたパレット１が、一方では組み立てられた状態で、他方では分解された状態で示してある。収容プレート２は、たとえば天然繊維を備えたリサイクル可能な繊維複合材料から、またはたとえば閉鎖されているプレートとしてまたはステーから成るプレート状の組織体として木材から製造されている。有利には、パレット１は平面で見て方形または正方形である。
【００２８】
下部構造体３は、上側部材３０と、下側部材４０と、角領域を含めて接合箇所で両部材３０，４０を中間接合している支持部材５０とから構成されている。上側部材３０は、縦ステー３２を備えた水平な補強部材と、縦ステー３２に対して直角に延びている横ステー３１とを有している。この場合、図示の実施例では側方の２つの縦ステー３２と、これらの２つの縦ステー３２に対して平行に中心を延びている別の１つの縦ステー３２と、側方の２つの横ステー３１と、これらの２つの横ステー３１に対して平行に中心を延びている中間の横ステーとは、それらの交差点で互いに結合されている。さらに、角点との間には対角ステー３８が延びていて、これらの対角ステー３８は横ステー３１と縦ステー３２とに結合されてもいる。本実施例では、縦ステー３２は、横ステー３１および対角ステー３８よりも広幅で安定して形成されている。縦ステー３２と、横ステー３１と、対角ステー３８とは、骨組みもしくは骨格（骨格原理）の形式で軽量に構成されて結合されていて、これによって材料需要は可能な限り僅かでありながらも可能な限り高い安定性が保持される。側方の縦ステー３２と横ステー３１の外側縁部に、たとえば互いに離間されて上方に向けられた２つの保持エレメント３３が成形加工されている。これらの保持エレメント３３は、収容プレート２を縁部で部分的に取り囲んでいて、結合に工具を用いず、クランプ作用、またはスナップ作用、または係止により保持している。同様に、横ステー３１および／または縦ステー３２および／または対角ステー３８の長さにわたって配置されている、収容プレート２の対向エレメントと位置固定するように協働する別の保持エレメントが設けられていてもよい。
【００２９】
縦ステー３２と横ステー３１との結節点には上部支持区分３４が、たとえば一体に成形されているか、または別体のエレメントとして位置固定されているように挿入されている。これらの上部支持区分３４は、下方で開放していて上方で球冠を形成するように閉鎖されている、支持部材５０のための中空部３５を有している。上方に向かって凸状の中空部３５は、ホッパー状に上方に開放している支持部分、もしくは支持基部３６によって取り囲まれている。この支持基部３６で収容プレート２は切り株原理に基づき、つまり拡がっている面で支持されている。支持区分３４のこの形状により、衝撃吸収のための有利な構成がもたらされる。
【００３０】
下側部材４０は、上部縦ステー３２の下を平行して延びている下部縦ステー４１を有している。この下部縦ステー４１と支持区分３４の下側に配置されている下部支持区分３４′とは一体成形されているか、または別体のエレメメントとして位置固定されている。従って、側方の２つの縦ステー４１と中間の縦ステーとの間には、長手方向で延びている中間スペースが設けられていて、これらの中間スペースに、たとえばフォークリフトの収容フォークを差し込むことができる。下部縦ステー４１は、たとえば上部縦ステー３２と同じ輪郭横断面を有している。この場合、下部支持区分３４′は上部支持区分３４に相応に成形されているものの、切り株原理に基づき、つまり拡がっている広い面で基礎に支持され、同じく衝撃吸収をサポートするために、下方に向かってホッパー状に拡開された区分を有している。上方に向かって凸状の中空部３５の湾曲部３７に相応して、下部支持区分３４′は、下方に向かって凸状かもしくは球冠状の中空部３５を備えている。
【００３１】
支持部材５０の端部区分が、下部支持区分３４′の中空部３５内に装入される一方で、上部支持区分３４の中空部３５内に装入される。このことは特に図２から詳しく見て取られる。各支持部材５０は、細い棒状体の束５１から成っていて、この場合、束の端部は対応配置される中空部３５に相応して丸みを付けられている。「棒状体の束５１」は、全周にわたって延びている比較的中央に位置するリングによって束ねられている。このリングは、上側部材３０と下側部材４０とが組み立てられた状態では、支持区分３４，３４′の互いに向かい合った端部領域の間に配置されている。この場合、中空部３５内には一定の遊びがある。この遊びにより、細い棒状体がその端部区分に向かって拡介し、その際、中空部３５の向かい合っている各内側壁部において支持されることが可能になる。択一的にまたは付加的に、細い棒状体が中央で相対的に相互に膨らむ構成であってよい。この構成では、結束リング５２が弾性的であって、この結束リング５２の弾性力で膨らみを抑える。棒状体自体も膨らみのための所定の弾性を有している。支持部材５０のこの構成および挿入により、たとえばパレットの突発的な載置によりまたは搬送時に衝突力がかかる場合、衝撃緩衝がもたらされ、その一方で高い支持力が保証されている。
【００３２】
さらに図２に示されているように、収容プレート２自体をステーから成る組織体として形成することができる。上側部材３０の上面を収容プラットフォームとして形成するという可能性もある。縦ステー３２，４１または別のステーも、それ自体たとえば互いに平行にそれぞれ離間されている２つの棒から形成することができる。これらの棒は、支持区分３４，３４′の領域において互いに一体に結合されている。
【００３３】
図３にもパレット１の組み合わされた状態と分解された状態とが示されている。この場合、図１とは異なり収容プレート２は省かれている。
【００３４】
さらに図１、図２および図３から分かるように、支持部材５０が装入されている支持区分３４，３４′は、パレットの平面にわたって等分に分割して配置されている。この場合、支持部材５０を有する支持区分は、パレットの角、および側縁部の中央、および真ん中に配置されている。有利には、結束リング５２は弾性的に形成されていて、それ自体衝撃吸収に貢献する。上側部材３０と下側部材４０とは、たとえば結束リング５２を介して、および／または介在エレメントによって互いに結合されている。これらの介在エレメントは、たとえば弾性的にまたはフレキシブルにまたはチェーンの形式で可動なリンクをもって構成されていて、上側部材３０と下側部材４０とが互いに離脱することを防いでいる。
【図面の簡単な説明】
【００３５】
【図１】収容プレートと下部構造体とを備えたパレットの組付けられた状態と分解された状態との斜視図である。
【図２】下部構造体を備えたパレットの別の構成を示した図と、パレットの部分の斜視図である。
【図３】パレットの別の構成の組み合わせた状態と分解した状態とを示した斜視図である。
【符号の説明】
【００３６】
１  パレット、  ２  収容プレート、  ３  下部構造体、  ３０  上側部材、  ３１  横ステー、  ３２  縦ステー、  ３３  保持エレメント、  ３４，３４′  支持区分、  ３５  中空部、  ３６  支持基部、  ３８  対角ステー、  ４０  下側部材、  ４１  下部縦ステー、  ５０  支持部材、  ５１  束、  ５２  結束リング
【図１】
2008260576.tif 000003
【図２】
2008260576.tif 000004
【図３】
2008260576.tif 000005